(57)【特許請求の範囲】
【請求項１】
試験対象の移動体端末（１）の複数のアンテナ接続端子（１ａ〜１ｄ）にケーブル接続可能な第１〜第４の端末側ポート（５１ａ〜５１ｄ）と、
前記第１〜第４の端末側ポートにそれぞれ対応して設けられ、前記移動体端末の試験に必要な試験用下り信号を受けるための第１〜第４の試験側ポート（５２ａ〜５２ｄ）とを有し、
前記試験側ポートに入力された試験用下り信号を対応する前記端末側ポートに出力するとともに、前記移動体端末の特定のアンテナ接続端子から出力されて特定の前記端末側ポートに入力された上り信号を４分配し、その一つを前記特定の端末側ポートに対応する試験側ポートに出力し、別の３つを前記特定の端末側ポート以外の３つの端末側ポートに出力して、前記移動体端末の複数のアンテナ接続端子にアンテナが接続された場合のアンテナ間結合による上り信号の回り込みを再現させる移動体端末アンテナ結合模擬回路であって、
第１ポートに入力された信号を第２ポート、第３ポートに等分配し、該第２ポート、第３ポートに入力された信号を合成して前記第１ポートから出力する第１〜第８の３ポート型カプラ（６１〜６８）と、
第１ポート、第２ポートに入力された信号をそれぞれ等分配し互いに合成して第３ポート、第４ポートから出力し、該第３ポート、第４ポートに入力された信号をそれぞれ等分配し互いに合成して前記第１ポート、第２ポートから出力する４ポート型カプラ（７０）とを有し、
前記第１の端末側ポート（５１ａ）と前記第１の３ポート型カプラ（６１）の第１ポートの間、該第１の３ポート型カプラの第２ポートと前記第２の３ポート型カプラ（６２）の第１ポートの間、該第２の３ポート型カプラの第２ポートと前記第１の試験側ポート（５２ａ）の間がそれぞれ接続され、
前記第２の端末側ポート（５１ｂ）と前記第３の３ポート型カプラ（６３）の第１ポートの間、該第３の３ポート型カプラの第２ポートと前記第４の３ポート型カプラ（６４）の第１ポートの間、該第４の３ポート型カプラの第２ポートと前記第２の試験側ポート（５２ｂ）の間がそれぞれ接続され、
前記第３の端末側ポート（５１ｃ）と前記第５の３ポート型カプラ（６５）の第１ポートの間、該第５の３ポート型カプラの第２ポートと前記第６の３ポート型カプラ（６６）の第１ポートの間、該第６の３ポート型カプラの第２ポートと前記第３の試験側ポート（５２ｃ）の間がそれぞれ接続され、
前記第４の端末側ポート（５１ｄ）と前記第７の３ポート型カプラ（６７）の第１ポートの間、該第７の３ポート型カプラの第２ポートと前記第８の３ポート型カプラ（６８）の第１ポートの間、該第８の３ポート型カプラの第２ポートと前記第４の試験側ポート（５２ｄ）の間がそれぞれ接続され、
前記第２の３ポート型カプラの第３ポートと前記第４の３ポート型カプラの第３ポートの間、前記第６の３ポート型カプラの第３ポートと前記第８の３ポート型カプラの第３ポートの間が接続され、
さらに、前記第１の３ポート型カプラの第３ポートと前記４ポート型カプラの第１ポートの間、前記第３の３ポート型カプラの第３ポートと前記４ポート型カプラの第２ポートの間、前記第５の３ポート型カプラの第３ポートと前記４ポート型カプラの第３ポートの間、前記第７の３ポート型カプラの第３ポートと前記４ポート型カプラの第４ポートの間がそれぞれ接続されていることを特徴とする移動体端末アンテナ結合模擬回路。
【請求項２】
前記４ポート型カプラは、
第１ポートに入力された信号を第２ポート、第３ポートに等分配し、該第２ポート、第３ポートに入力された信号を合成して前記第１ポートから出力する第９、第１０の３ポート型カプラ（７１、７２）の第１ポート同士が接続されて形成され、前記第９の３ポート型カプラ（７１）の第２、第３ポートが、前記４ポート型カプラの前記第１、第２ポートとして、前記第１の３ポート型カプラの第３ポート、前記第３の３ポート型カプラの第３ポートにそれぞれ接続され、前記第１０の３ポート型カプラ（７２）の第２、第３ポートが、前記４ポート型カプラの前記第３、第４ポートとして、前記第５の３ポート型カプラの第３ポート、前記第７の３ポート型カプラの第３ポートにそれぞれ接続されていることを特徴する請求項１記載の移動体端末アンテナ結合模擬回路。
【請求項３】
前記第２の３ポート型カプラの第３ポートと前記第４の３ポート型カプラの第３ポートの間、前記第６の３ポート型カプラの第３ポートと前記第８の３ポート型カプラの第３ポートの間、前記第１の３ポート型カプラの第３ポートと前記４ポート型カプラの第１ポートの間および前記第３の３ポート型カプラの第３ポートと前記４ポート型カプラの第２ポートの間に、それぞれ可変減衰器（８１〜８４）が挿入されていることを特徴とする請求項１記載の移動体端末アンテナ結合模擬回路。
【請求項４】
前記第２の３ポート型カプラの第３ポートと前記第４の３ポート型カプラの第３ポートの間、前記第６の３ポート型カプラの第３ポートと前記第８の３ポート型カプラの第３ポートの間、前記第５の３ポート型カプラの第３ポートと前記４ポート型カプラの第３ポートの間および前記第７の３ポート型カプラの第３ポートと前記４ポート型カプラの第４ポートの間に、それぞれ可変減衰器（８１〜８４）が挿入されていることを特徴とする請求項１記載の移動体端末アンテナ結合模擬回路。
【請求項５】
前記第２の３ポート型カプラの第３ポートと前記第４の３ポート型カプラの第３ポートの間、前記第６の３ポート型カプラの第３ポートと前記第８の３ポート型カプラの第３ポートの間および前記第９の３ポート型カプラの第１ポートと前記第１０の３ポート型カプラのトの第１ポートの間に、それぞれ可変減衰器（８１〜８３）が挿入されていることを特徴とする請求項２記載の移動体端末アンテナ結合模擬回路。
【請求項６】
試験対象の移動体端末（１）の複数のアンテナ接続端子（１ａ〜１ｄ）にケーブル接続可能な第１〜第４の端末側ポート（５１ａ〜５１ｄ）と、
前記第１〜第４の端末側ポートにそれぞれ対応して設けられ、前記移動体端末の試験に必要な試験用下り信号を受けるための第１〜第４の試験側ポート（５２ａ〜５２ｄ）とを有し、
前記試験側ポートに入力された試験用下り信号を対応する前記端末側ポートに出力するとともに、前記移動体端末の特定のアンテナ接続端子から出力されて特定の前記端末側ポートに入力された上り信号を４分配し、その一つを前記特定の端末側ポートに対応する試験側ポートに出力し、別の３つを前記特定の端末側ポート以外の３つの端末側ポートに出力して、前記移動体端末の複数のアンテナ接続端子にアンテナが接続された場合のアンテナ間結合による上り信号の回り込みを再現させる移動体端末アンテナ結合模擬回路であって、
第１ポートに入力された信号を第２ポート、第３ポートに等分配し、該第２ポート、第３ポートに入力された信号を合成して前記第１ポートから出力する第１〜第４の３ポート型カプラ（６１、６３、６５、６７）と、
第１ポート、第２ポートに入力された信号をそれぞれ等分配し互いに合成して第３ポート、第４ポートから出力し、該第３ポート、第４ポートに入力された信号をそれぞれ等分配し互いに合成して前記第１ポート、第２ポートから出力する第１〜第３の４ポート型カプラ（７５、７６、７０）とを有し、
前記第１の端末側ポート（５１ａ）と前記第１の３ポート型カプラ（６１）の第１ポートの間、該第１の３ポート型カプラの第２ポートと前記第１の４ポート型カプラ（７５）の第２ポートの間、該第１の４ポート型カプラの第４ポートと前記第１の試験側ポート（５２ａ）の間がそれぞれ接続され、
前記第２の端末側ポート（５１ｂ）と前記第２の３ポート型カプラ（６３）の第１ポートの間、該第２の３ポート型カプラの第２ポートと前記第１の４ポート型カプラ（７５）の第３ポートの間、該第１の４ポート型カプラの第１ポートと前記第２の試験側ポート（５２ｂ）の間がそれぞれ接続され、
前記第３の端末側ポート（５１ｃ）と前記第３の３ポート型カプラ（６５）の第１ポートの間、該第３の３ポート型カプラの第２ポートと前記第２の４ポート型カプラ（７６）の第２ポートの間、該第２の４ポート型カプラの第４ポートと前記第３の試験側ポート（５２ｃ）の間がそれぞれ接続され、
前記第４の端末側ポート（５１ｄ）と前記第４の３ポート型カプラ（６７）の第１ポートの間、該第４の３ポート型カプラの第２ポートと前記第２の４ポート型カプラ（７６）の第３ポートの間、該第２の４ポート型カプラの第１ポートと前記第４の試験側ポート（５２ｄ）の間がそれぞれ接続され、
さらに、前記第１の３ポート型カプラ（６１）の第３ポートと前記第３の４ポート型カプラ（７０）の第１ポートの間、前記第２の３ポート型カプラ（６３）の第３ポートと前記第３の４ポート型カプラの第２ポートの間、前記第３の３ポート型カプラ（６５）の第３ポートと前記第３の４ポート型カプラの第３ポートの間、前記第４の３ポート型カプラ（６７）の第３ポートと前記第３の４ポート型カプラの第４ポートの間がそれぞれ接続されていることを特徴とする移動体端末アンテナ結合模擬回路。
【発明の詳細な説明】
【技術分野】
【０００１】
本発明は、携帯電話やスマートフォン等の移動体端末との間で基地局と同様の通信を行い、移動体端末の試験を行なうシステムにおいて、複数のアンテナ接続端子を有する移動体端末に対してケーブル接続環境で、アンテナ接続環境におけるアップリンク信号（上り信号）の回り込み状況を再現させるための技術に関する。
【背景技術】
【０００２】
移動体端末の試験を行なう場合、実際の使用環境と同様に試験装置と移動体端末とが互いのアンテナを介して通信を行なうアンテナ接続環境と、試験装置の信号端子と移動体端末のアンテナ接続端子の間をケーブル接続して通信を行なうケーブル接続環境とがある。
【０００３】
図９は、例えばＭＩＭＯ方式やキャリアアグリゲーション方式のように、基地局との間で複数のアンテナを用いて通信を行なう移動体端末１を、アンテナ接続環境で試験する場合のシステムを示すものであり、移動体端末１のアンテナ接続端子１ａ、１ｂにアンテナ２ａ、２ｂが接続され、これを試験する試験装置１０側の信号端子１０ａ、１０ｂにもアンテナ１２ａ、１２ｂが接続されている。なお、ここでは、汎用性を考慮して、移動体端末１のアンテナ接続端子１ａ、１ｂおよび試験装置１０の信号端子１０ａ、１０ｂを送受兼用として説明する。
【０００４】
試験装置１０は、送受信部１１で生成した試験用のダウンリンク信号（下り信号）ＤＬ１を、サーキュレータ１１ａおよび信号端子１０ａを介してアンテナ１２ａから放射し、ダウンリンク信号ＤＬ２を、サーキュレータ１１ｂおよび信号端子１０ｂを介してアンテナ１２ｂから放射する。
【０００５】
移動体端末１は、ダウンリンク信号ＤＬ１、ＤＬ２をアンテナ２ａ、２ｂで受信し、それに応答するアップリンク信号ＵＬ１、ＵＬ２をそれぞれのアンテナ２ａ、２ｂから放射する。
【０００６】
試験装置１０の送受信部１１は、移動体端末１のアンテナ２ａ、２ｂから出力されたアップリンク信号ＵＬ１、ＵＬ２をサーキュレータ１１ａ、１１ｂを介して受信し、周波数変換処理および復調処理などを行なう。試験装置１０は、この復調結果に基づき、移動体端末１の動作を調べる。
【０００７】
上記アンテナ接続環境の場合、外来信号の影響を排除するために、試験装置１０のアンテナ１２ａ、１２ｂと移動体端末１（アンテナ２ａ、２ｂを含む）とを、外部に対して電磁的にシールドされ、且つ内部での不要な反射が無い空間（電波暗箱）に設置する必要があり、システムが大掛かりとなる。また、試験環境内での信号減衰の程度等を定量的に正しく把握することが困難で、正確な測定が行なえないという問題がある。
【０００８】
これに対し、試験装置と移動体端末とをケーブルで接続して通信を行なうケーブル接続環境では、外来信号や空間反射の影響を受けず、信号減衰の程度もケーブルの減衰量等から正確に把握でき、正確な測定が可能である。
【０００９】
上記移動体端末１の試験をケーブル接続環境で行なう場合、図１０に示す試験装置１０′のように、送受信部１１と信号端子１０ａ、１０ｂの間に信号合成部１３を設ける。
【００１０】
信号合成部１３は、アンテナ接続環境において試験対象の移動体端末１の各アンテナ２ａ、２ｂで受信されてアンテナ接続端子１ａ，１ｂにそれぞれ入力される受信信号を模擬的に生成するものであり、その合成処理については、ＭＩＭＯ方式やキャリアアグリゲーション方式等の方式に応じた処理を行なう。
【００１１】
例えば、ＭＩＭＯ方式を含む場合には、２系統のダウンリンク信号ＤＬ１、ＤＬ２に、試験装置側と移動体端末１の間のアンテナ間の伝搬路の特性（試験条件として設定する）に応じた減衰や遅延を与えて合成して、アンテナ接続環境において移動体端末１のアンテナ２ａ、２ｂでそれぞれ受信される信号（以下、個々のダウンリンク信号を含めて試験用下り信号と記す）ＤＬＡ、ＤＬＢを模擬的に生成し、サーキュレータ１１ａ、１１ｂ、信号端子１０ａ、１０ｂおよびケーブルＣａ、Ｃｂを介して、移動体端末１のアンテナ接続端子１ａ、１ｂにそれぞれ入力させる。
【００１２】
また、移動体端末１のアンテナ接続端子１ａ、１ｂから出力されるアップリンク信号ＵＬ１、ＵＬ２は、ケーブルＣａ、Ｃｂ、信号端子１０ａ、１０ｂ、サーキュレータ１１ａ、１１ｂを介して送受信部１１に入力される。
【００１３】
このように構成された試験装置１０′であれば、基地局と移動体端末との間で行なわれる通信を、アンテナ接続環境と同等の条件で試験することが可能である。
【００１４】
ところが、移動体端末１のアンテナ２ａ、２ｂは極めて近い位置にあるので、その一方のアンテナから放射されたアップリンク信号が他方のアンテナを介して端末内に回り込む現象が発生する。
【００１５】
ここで、移動体端末がＦＤＤ方式の通信に用いるアップリンク信号とダウンリンク信号の周波数差が、８００ＭＨｚ以上のキャリア周波数に対して数１０ＭＨｚ程度しかない場合には、回り込むアップリンク信号をアンテナやそれに続く回路の周波数特性によって減衰させることが困難であり、そのアップリンク信号の回り込みの影響でダウンリンク信号の受信品質が低下する恐れがある。
【００１６】
また、複数の異なる周波数帯を用いて通信を行なうキャリアアグリゲーション（ＣＡ）方式を用いる移動体端末の場合、周波数帯毎のアンテナ接続端子を有し、周波数帯が近い場合には、一方の周波数帯のアップリンク信号が他方の周波数帯のダウンリンク信号に近くなり、その影響で上記同様にダウンリンク信号の受信品質を低下させる恐れがある。また、一方の周波数帯のアップリンク信号と他方のアップリンク信号の相互変調によって生じるスプリアスがいずれかの周波数帯のダウンリンク信号の周波数と重なる、あるいは近接してその受信品質を低下させる恐れがある。
【００１７】
また、一方の周波数帯のアップリンク信号の周波数と他方の周波数帯のダウンリンク信号の周波数が大きく離間している場合であっても、例えば図１１の（ａ）のように、周波数帯Ｂ１のアップリンク信号ＵＬ１（基本波成分ＵＬ１ｒ）に含まれる高調波成分ＵＬ１ｈがアンテナ間結合によって回り込み、その回り込み成分ＵＬ１ｈ′が、図１１の（ｂ）のように、周波数帯Ｂ２のダウンリンク信号ＤＬ２に重なる、あるいは近接する場合がある。ここで、受信試験におけるダウンリンク信号ＤＬ２のレベルは、アップリンク信号に比べて格段に低く、その高調波の回り込み成分のレベルも十分高いため、その回り込み成分によりダウンリンク信号の受信品質が低下する恐れがある。
【００１８】
このような受信品質の低下は試験環境によるものではなく、移動体端末自体のアンテナ間結合によるものであるので、移動体端末の動作を評価する一つの項目となる。
【００１９】
しかし、上記構成の試験装置１０′では、移動体端末１の複数のアンテナ間の結合によるアップリンク信号の回り込みの状況を再現することができないという問題がある。
【００２０】
携帯電話等の通信機器における規格を定めている３ＧＰＰ規格には、このような移動体端末のアンテナ間結合に関する測定システムについて規定されていないが、適用可能な技術として、非特許文献１の３ＧＰＰ  ＴＳ  ３６．５０８  Ｖ１２．８．０の４９０ページには、移動体端末への試験用下り信号に、信号発生器で生成した妨害波（変調波や搬送波）を加算して、移動体端末に与える構成が示されている。
【先行技術文献】
【非特許文献】
【００２１】
【非特許文献１】３ＧＰＰ  ＴＳ  ３６．５０８  Ｖ１２．８．０  ｐ４９０
【発明の概要】
【発明が解決しようとする課題】
【００２２】
上記非特許文献１の技術を用い、移動体端末が出力するアップリンク信号と同じ周波数で且つ同様の変調方式で変調された妨害信号を信号発生器で生成して、試験用下り信号に加えて移動体端末に与える構成が考えられる。
【００２３】
しかしながら、このような構成では、移動体端末自身が出力したアップリンク信号と全く相関のない信号を用いることになり、移動体端末自身が実際に出力したアップリンク信号による影響を正しく把握することが困難である。
【００２４】
また、よりシンプルな方法として、移動体端末の特定のアンテナ接続端子から出力されたアップリンク信号を、カプラ等を用いて別のアンテナ接続端子に帰還することで、移動体端末の複数のアンテナ間の結合を模擬する方法が考えられる。
【００２５】
図１２はその試験システムの一例を示すものであり、前記試験装置１０′と移動体端末１の間に、移動体端末アンテナ結合模擬回路（以下、アンテナ結合模擬回路と記す）２０を設けている。
【００２６】
このアンテナ結合模擬回路２０は、２つの端末側ポート２０ａ、２０ｂと、２つの試験側ポート２０ｃ、２０ｄを有する２×２ポート型のものであり、信号の分配、合成機能を有する２つの３ポート型カプラ（以下、単にカプラと記す）２１、２２によって構成される。
【００２７】
カプラ２１、２２は、第１ポートに入力された信号を第２ポート、第３ポートに等分配し、第２ポート、第３ポートに入力された信号を合成して第１ポートから出力する機能を有しており、このアンテナ結合模擬回路２０では、カプラ２１、２２の第１ポートが、端末側ポート２０ａ、２０ｂを介して移動体端末１のアンテナ接続端子１ａ、１ｂにそれぞれ接続され、カプラ２１、２２の第２ポートが試験側ポート２０ｃ、２０ｄを介して試験装置１０′の信号端子１０ａ、１０ｂにそれぞれ接続され、カプラ２１、２２の第３ポート同士が接続されている。
【００２８】
この構成によれば、移動体端末１から出力されたアップリンク信号ＵＬ１は、カプラ２１で等分配され、その一方が試験装置１０′に入力され、他方がカプラ２２に入力され、試験装置１０′からの試験用下り信号ＤＬＢと合成されて移動体端末１のアンテナ接続端子１ｂに帰還される。また、同様に移動体端末１から出力されたアップリンク信号ＵＬ２は、カプラ２２で等分配され、その一方が試験装置１０′に入力され、他方がカプラ２１に入力され、試験装置１０′からの試験用下り信号ＤＬＡと合成されて移動体端末１のアンテナ接続端子１ａに帰還される。
【００２９】
上記したアンテナ結合模擬回路２０は２×２ポート型であるが、高速通信実現のために近年の移動体端末は４つ程度のアンテナを有している場合が多い。これに対応するためには、上記アンテナ結合模擬回路２０を汎用性の高い４×４ポート型に拡張する必要がある。
【００３０】
図１３は、４×４ポート型に拡張したアンテナ結合模擬回路３０の構成を示すものであり、移動体端末１の４つのアンテナ接続端子１ａ〜１ｄにケーブル接続可能な４つの端末側ポート３０ａ〜３０ｄと、試験装置１０″の４つの信号端子１０ａ〜１０ｄにケーブル接続可能な４つの試験側ポート３０ｅ〜３０ｈを有している。なお、試験装置１０″は、前記試験装置１０′を４ポート型に拡張したものである。
【００３１】
このアンテナ結合模擬回路３０の場合も前記同様に、分配、合成機能を有する３ポート型カプラを用いているが、１つのアンテナ接続端子から出力されるアップリンク信号を、試験装置１０″側と他の３つのアンテナ接続端子に分配するために、３つ１組のカプラを用いている。
【００３２】
つまり、カプラ３１、３４、３７、４０の第１ポートが端末側ポート３０ａ〜３０ｄを介して移動体端末１のアンテナ接続端子１ａ〜１ｄにそれぞれ接続され、カプラ３１、３４、３７、４０の第２ポートが、カプラ３２、３５、３８、４１の第１ポートにそれぞれ接続され、カプラ３１、３４、３７、４０の第３ポートが、カプラ３３、３６、３９、４２の第１ポートにそれぞれ接続され、カプラ３２、３５、３８、４１の第２ポートが、試験側ポート３０ｅ〜３０ｈを介して試験装置１０″の信号端子１０ａ〜１０ｄにそれぞれ接続されている。
【００３３】
また、カプラ３２、３５の第３ポート同士、カプラ３３の第２ポートとカプラ３８の第３ポートの間、カプラ３３、４１の第３ポート同士、カプラ３６、３９の第２ポート同士、カプラ３６の第３ポートとカプラ４２の第２ポートの間、カプラ３９、４２の第３ポート同士が接続されている。
【００３４】
この構成のアンテナ結合模擬回路３０では、アンテナ接続端子１ａから出力されたアップリンク信号ＵＬ１が、３つのカプラ３１〜３３により４分配され、その一つが信号端子１０ａに入力され、別の一つがカプラ３５、３４を経由してアンテナ接続端子１ｂに入力され、別の一つがカプラ３８、３７を経由してアンテナ接続端子１ｃに入力され、最後の一つがカプラ４１、４０を経由してアンテナ接続端子１ｄに入力されることになる。
【００３５】
同様に、アンテナ接続端子１ｂから出力されたアップリンク信号ＵＬ２が３つのカプラ３４〜３６により４分配され、その一つが信号端子１０ｂに入力され、別の一つがカプラ３２、３１を経由してアンテナ接続端子１ａに入力され、別の一つがカプラ３９、３７を経由してアンテナ接続端子１ｃに入力され、最後の一つがカプラ４２、４０を経由して、アンテナ接続端子１ｄに入力されることになる。
【００３６】
同様に、アンテナ接続端子１ｃから出力されたアップリンク信号ＵＬ３が３つのカプラ３７〜３９により４分配され、その一つが信号端子１０ｃに入力され、別の一つがカプラ３３、３１を経由してアンテナ接続端子１ａに入力され、別の一つがカプラ３６、３４を経由してアンテナ接続端子１ｂに入力され、最後の一つがカプラ４２、４０を経由して、アンテナ接続端子１ｄに入力されることになる。
【００３７】
同様に、アンテナ接続端子１ｄから出力されたアップリンク信号ＵＬ４が３つのカプラ４０〜４２により４分配され、その一つが信号端子１０ｄに入力され、別の一つがカプラ３３、３１を経由してアンテナ接続端子１ａに入力され、別の一つがカプラ３６、３４を経由してアンテナ接続端子１ｂに入力され、最後の一つがカプラ３９、３７を経由して、アンテナ接続端子１ｃに入力されることになる。
【００３８】
したがって、移動体端末１のアンテナ接続端子１ａ〜１ｄの一つから出力されるアップリンク信号は、２つのカプラにより１／４の電力（−６ｄＢ）に分けられて、他の３つのアンテナ接続端子に帰還されることになり、ケーブルロスなどを考慮しても、実際の移動体端末１のアンテナ間の結合度（−１０ｄＢ）に近い環境での試験が可能となる。
【００３９】
しかしながら、上記構成の４×４ポート型のアンテナ結合模擬回路３０では、カプラが１２個必要であり、しかも、カプラ間を接続する接続部材（ケーブルやコネクタ等）が１４組必要となる。一般的に数ＧＨｚの信号を伝送する接続部材としてセミリジットケーブル等を用いるが、このような、かさばって扱いにくいセミリジットケーブルからなる接続部材を用いて多くのカプラ間を接続する構成では、回路が複雑化し大型となりコスト高となる。
【００４０】
本発明は、この課題を解決し、４×４ポートの汎用型でありながら、より簡易な構成で、小型に且つ安価に形成できるアンテナ結合模擬回路を提供することを目的としている。
【課題を解決するための手段】
【００４１】
前記目的を達成するために、本発明の請求項１の移動体端末アンテナ結合模擬回路は、
試験対象の移動体端末（１）の複数のアンテナ接続端子（１ａ〜１ｄ）にケーブル接続可能な第１〜第４の端末側ポート（５１ａ〜５１ｄ）と、
前記第１〜第４の端末側ポートにそれぞれ対応して設けられ、前記移動体端末の試験に必要な試験用下り信号を受けるための第１〜第４の試験側ポート（５２ａ〜５２ｄ）とを有し、
前記試験側ポートに入力された試験用下り信号を対応する前記端末側ポートに出力するとともに、前記移動体端末の特定のアンテナ接続端子から出力されて特定の前記端末側ポートに入力された上り信号を４分配し、その一つを前記特定の端末側ポートに対応する試験側ポートに出力し、別の３つを前記特定の端末側ポート以外の３つの端末側ポートに出力して、前記移動体端末の複数のアンテナ接続端子にアンテナが接続された場合のアンテナ間結合による上り信号の回り込みを再現させる移動体端末アンテナ結合模擬回路であって、
第１ポートに入力された信号を第２ポート、第３ポートに等分配し、該第２ポート、第３ポートに入力された信号を合成して前記第１ポートから出力する第１〜第８の３ポート型カプラ（６１〜６８）と、
第１ポート、第２ポートに入力された信号をそれぞれ等分配し互いに合成して第３ポート、第４ポートから出力し、該第３ポート、第４ポートに入力された信号をそれぞれ等分配し互いに合成して前記第１ポート、第２ポートから出力する４ポート型カプラ（７０）とを有し、
前記第１の端末側ポート（５１ａ）と前記第１の３ポート型カプラ（６１）の第１ポートの間、該第１の３ポート型カプラの第２ポートと前記第２の３ポート型カプラ（６２）の第１ポートの間、該第２の３ポート型カプラの第２ポートと前記第１の試験側ポート（５２ａ）の間がそれぞれ接続され、
前記第２の端末側ポート（５１ｂ）と前記第３の３ポート型カプラ（６３）の第１ポートの間、該第３の３ポート型カプラの第２ポートと前記第４の３ポート型カプラ（６４）の第１ポートの間、該第４の３ポート型カプラの第２ポートと前記第２の試験側ポート（５２ｂ）の間がそれぞれ接続され、
前記第３の端末側ポート（５１ｃ）と前記第５の３ポート型カプラ（６５）の第１ポートの間、該第５の３ポート型カプラの第２ポートと前記第６の３ポート型カプラ（６６）の第１ポートの間、該第６の３ポート型カプラの第２ポートと前記第３の試験側ポート（５２ｃ）の間がそれぞれ接続され、
前記第４の端末側ポート（５１ｄ）と前記第７の３ポート型カプラ（６７）の第１ポートの間、該第７の３ポート型カプラの第２ポートと前記第８の３ポート型カプラ（６８）の第１ポートの間、該第８の３ポート型カプラの第２ポートと前記第４の試験側ポート（５２ｄ）の間がそれぞれ接続され、
前記第２の３ポート型カプラの第３ポートと前記第４の３ポート型カプラの第３ポートの間、前記第６の３ポート型カプラの第３ポートと前記第８の３ポート型カプラの第３ポートの間が接続され、
さらに、前記第１の３ポート型カプラの第３ポートと前記４ポート型カプラの第１ポートの間、前記第３の３ポート型カプラの第３ポートと前記４ポート型カプラの第２ポートの間、前記第５の３ポート型カプラの第３ポートと前記４ポート型カプラの第３ポートの間、前記第７の３ポート型カプラの第３ポートと前記４ポート型カプラの第４ポートの間がそれぞれ接続されていることを特徴とする。
【００４２】
また、本発明の請求項２記載の移動体端末アンテナ結合模擬回路は、請求項１記載の移動体端末アンテナ結合模擬回路において、
前記４ポート型カプラは、
第１ポートに入力された信号を第２ポート、第３ポートに等分配し、該第２ポート、第３ポートに入力された信号を合成して前記第１ポートから出力する第９、第１０の３ポート型カプラ（７１、７２）の第１ポート同士が接続されて形成され、前記第９の３ポート型カプラ（７１）の第２、第３ポートが、前記４ポート型カプラの前記第１、第２ポートとして、前記第１の３ポート型カプラの第３ポート、前記第３の３ポート型カプラの第３ポートにそれぞれ接続され、前記第１０の３ポート型カプラ（７２）の第２、第３ポートが、前記４ポート型カプラの前記第３、第４ポートとして、前記第５の３ポート型カプラの第３ポート、前記第７の３ポート型カプラの第３ポートにそれぞれ接続されていることを特徴する。
【００４３】
また、本発明の請求項３記載の移動体端末アンテナ結合模擬回路は、請求項１記載の移動体端末アンテナ結合模擬回路において、
前記第２の３ポート型カプラの第３ポートと前記第４の３ポート型カプラの第３ポートの間、前記第６の３ポート型カプラの第３ポートと前記第８の３ポート型カプラの第３ポートの間、前記第１の３ポート型カプラの第３ポートと前記４ポート型カプラの第１ポートの間および前記第３の３ポート型カプラの第３ポートと前記４ポート型カプラの第２ポートの間に、それぞれ可変減衰器（８１〜８４）が挿入されていることを特徴とする。
【００４４】
また、本発明の請求項４記載の移動体端末アンテナ結合模擬回路は、請求項１記載の移動体端末アンテナ結合模擬回路において、
前記第２の３ポート型カプラの第３ポートと前記第４の３ポート型カプラの第３ポートの間、前記第６の３ポート型カプラの第３ポートと前記第８の３ポート型カプラの第３ポートの間、前記第５の３ポート型カプラの第３ポートと前記４ポート型カプラの第３ポートの間および前記第７の３ポート型カプラの第３ポートと前記４ポート型カプラの第４ポートの間に、それぞれ可変減衰器（８１〜８４）が挿入されていることを特徴とする。
【００４５】
また、本発明の請求項５記載の移動体端末アンテナ結合模擬回路は、請求項２記載の移動体端末アンテナ結合模擬回路において、
前記第２の３ポート型カプラの第３ポートと前記第４の３ポート型カプラの第３ポートの間、前記第６の３ポート型カプラの第３ポートと前記第８の３ポート型カプラの第３ポートの間および前記第９の３ポート型カプラの第１ポートと前記第１０の３ポート型カプラのトの第１ポートの間に、それぞれ可変減衰器（８１〜８３）が挿入されていることを特徴とする。
【００４６】
また、本発明の請求項６記載の移動体端末アンテナ結合模擬回路は、
試験対象の移動体端末（１）の複数のアンテナ接続端子（１ａ〜１ｄ）にケーブル接続可能な第１〜第４の端末側ポート（５１ａ〜５１ｄ）と、
前記第１〜第４の端末側ポートにそれぞれ対応して設けられ、前記移動体端末の試験に必要な試験用下り信号を受けるための第１〜第４の試験側ポート（５２ａ〜５２ｄ）とを有し、
前記試験側ポートに入力された試験用下り信号を対応する前記端末側ポートに出力するとともに、前記移動体端末の特定のアンテナ接続端子から出力されて特定の前記端末側ポートに入力された上り信号を４分配し、その一つを前記特定の端末側ポートに対応する試験側ポートに出力し、別の３つを前記特定の端末側ポート以外の３つの端末側ポートに出力して、前記移動体端末の複数のアンテナ接続端子にアンテナが接続された場合のアンテナ間結合による上り信号の回り込みを再現させる移動体端末アンテナ結合模擬回路であって、
第１ポートに入力された信号を第２ポート、第３ポートに等分配し、該第２ポート、第３ポートに入力された信号を合成して前記第１ポートから出力する第１〜第４の３ポート型カプラ（６１、６３、６５、６７）と、
第１ポート、第２ポートに入力された信号をそれぞれ等分配し互いに合成して第３ポート、第４ポートから出力し、該第３ポート、第４ポートに入力された信号をそれぞれ等分配し互いに合成して前記第１ポート、第２ポートから出力する第１〜第３の４ポート型カプラ（７５、７６、７０）とを有し、
前記第１の端末側ポート（５１ａ）と前記第１の３ポート型カプラ（６１）の第１ポートの間、該第１の３ポート型カプラの第２ポートと前記第１の４ポート型カプラ（７５）の第２ポートの間、該第１の４ポート型カプラの第４ポートと前記第１の試験側ポート（５２ａ）の間がそれぞれ接続され、
前記第２の端末側ポート（５１ｂ）と前記第２の３ポート型カプラ（６３）の第１ポートの間、該第２の３ポート型カプラの第２ポートと前記第１の４ポート型カプラ（７５）の第３ポートの間、該第１の４ポート型カプラの第１ポートと前記第２の試験側ポート（５２ｂ）の間がそれぞれ接続され、
前記第３の端末側ポート（５１ｃ）と前記第３の３ポート型カプラ（６５）の第１ポートの間、該第３の３ポート型カプラの第２ポートと前記第２の４ポート型カプラ（７６）の第２ポートの間、該第２の４ポート型カプラの第４ポートと前記第３の試験側ポート（５２ｃ）の間がそれぞれ接続され、
前記第４の端末側ポート（５１ｄ）と前記第４の３ポート型カプラ（６７）の第１ポートの間、該第４の３ポート型カプラの第２ポートと前記第２の４ポート型カプラ（７６）の第３ポートの間、該第２の４ポート型カプラの第１ポートと前記第４の試験側ポート（５２ｄ）の間がそれぞれ接続され、
さらに、前記第１の３ポート型カプラ（６１）の第３ポートと前記第３の４ポート型カプラ（７０）の第１ポートの間、前記第２の３ポート型カプラ（６３）の第３ポートと前記第３の４ポート型カプラの第２ポートの間、前記第３の３ポート型カプラ（６５）の第３ポートと前記第３の４ポート型カプラの第３ポートの間、前記第４の３ポート型カプラ（６７）の第３ポートと前記第３の４ポート型カプラの第４ポートの間がそれぞれ接続されていることを特徴とする。
【発明の効果】
【００４７】
このように構成されているため、本発明の請求項１の移動体端末アンテナ結合模擬回路は、移動体端末のアンテナ接続端子のいずれかから出力されて例えば第１の端末側ポートに入力された上り信号が、第１の３ポート型カプラにより等分配され、その一方が、第２の３ポート型カプラに入力されてさらに等分配され、その一方が第１の試験側ポートに出力され、他方が第４の３ポート型カプラ、第３の３ポート型カプラを経由して、第２の端末側ポートに出力される。また、第１の３ポート型カプラにより等分配された他方の信号は、４ポート型カプラにより等分配されて、それぞれ第５の３ポート型カプラ、第７の３ポート型カプラを経由して第３の端末側ポート、第４の端末側ポートに出力される。移動体端末の他のアンテナ接続端子から他の端末側ポートに入力される上り信号についても同様に分配されて、その他のアンテナ接続端子に帰還される。
【００４８】
つまり、本発明の請求項１の移動体端末アンテナ結合模擬回路は、汎用的な４×４ポート型であるにも関わらず、端末側ポートとそれに対応する試験側ポートの間にそれぞれ２つずつ縦列的に挿入された合計８つの３ポート型カプラと、これら３ポート型カプラのうち端末側ポートに接続されている４つの３ポート型カプラの各第３ポート間に接続された４ポート型カプラの合計９つのカプラで構成でき、そのカプラ間を接続するためのケーブルやコネクタなどの接続部材の数も１０組で済む。
【００４９】
このため、従来回路と比べて、カプラ数で３／４、カプラ間接続部材数で５／７だけ小型化できる。
【００５０】
また、本発明の請求項２のように、４ポート型カプラを、第１ポート同士が接続された２つの３ポート型カプラで構成した場合でも、１０個の３ポート型カプラで構成でき、それらのカプラ間を接続するためのケーブルやコネクタなどの接続部材の数も１１組で済む。
【００５１】
また、本発明の請求項３〜５のように、帰還させる上り信号の経路に可変減衰器を挿入することで、移動体端末の擬似的なアンテナ間結合度を変化させることができ、その結合度の変化に対する移動体端末の動作を容易に把握できる。
【００５２】
また、本発明の請求項６では、請求項１の第２、第４の３ポート型カプラおよび第６、第８の３ポート型カプラをそれぞれ一つの４ポート型カプラに置き換えてほぼ同等の機能を実現している。
【００５３】
つまり、この請求項６の移動体端末アンテナ結合模擬回路は、汎用的な４×４ポート型であるにも関わらず、４つの３ポート型カプラと３つの４ポート型カプラの合計７つのカプラで構成でき、そのカプラ間を接続するためのケーブルやコネクタなどの接続部材の数も８組で済み、従来回路と比べて、カプラ数で７／１２、カプラ間接続部材数で４／７だけ小型化できる。
【図面の簡単な説明】
【００５４】
【図１】本発明の実施形態の構成図
【図２】本発明の実施形態の要部を変更した構成図
【図３】可変減衰器を加えた構成図
【図４】可変減衰器を加えた別の構成図
【図５】可変減衰器を加えた別の構成図
【図６】本発明の実施形態の別の使用形態を示す図
【図７】本発明の実施形態の別の使用形態を示す図
【図８】本発明の別の実施形態を示す図
【図９】アンテナ接続環境の試験システムを示す図
【図１０】ケーブル接続環境の試験システムを示す図
【図１１】移動体端末のアンテナ間結合の影響を説明するための図
【図１２】２×２ポート型回路の構成例を示す図
【図１３】４×４ポート型回路の構成例を示す図
【発明を実施するための形態】
【００５５】
以下、図面に基づいて本発明の実施の形態を説明する。
図１は、本発明を適用したアンテナ結合模擬回路５０を含む試験システムの構成を示している。
【００５６】
この試験システムは、前記した試験装置１０″とアンテナ結合模擬回路５０により構成され、基地局との間で４つのアンテナを用いて送受信を行なう通信方式に対応した移動体端末１を試験対象とするものであり、移動体端末１には、４つのアンテナ接続端子１ａ〜１ｄが設けられている。なお、実際のアンテナ接続端子には、送受信兼用のものと受信専用のものがあるが、ここでは汎用性を考慮して送受信兼用とする。
【００５７】
前記したように、試験装置１０″は、移動体端末１の試験に必要なダウンリンク信号を生成し、それらを合成等して得られる試験用下り信号ＤＬＡ〜ＤＬＤを４つの信号端子１０ａ〜１０ｄから出力するとともに、移動体端末１のアンテナ接続端子１ａ〜１ｄから出力されるアップリンク信号（上り信号）ＵＬ１〜ＵＬ４を、それぞれ信号端子１０ａ〜１０ｄを介して受けて受信復調し、その結果に基づいて移動体端末１の動作を試験する。
【００５８】
アンテナ結合模擬回路５０は、移動体端末１の複数のアンテナ接続端子１ａ〜１ｄと、試験装置１０″に設けられた４つの信号端子１０ａ〜１０ｄとの間にケーブルを介して接続され、試験装置１０″からの試験用下り信号ＤＬＡ〜ＤＬＤを、移動体端末１のアンテナ接続端子１ａ〜１ｄにそれぞれ与え、移動体端末１の特定のアンテナ接続端子から出力されたアップリンク信号を電力で４等分してその一つを試験装置１０″の特定のアンテナ接続端子に対応する特定の信号端子に与えるとともに、残りの３つを移動体端末１の特定のアンテナ接続端子以外の３つのアンテナ接続端子に帰還させる。
【００５９】
これを実現するために、実施形態のアンテナ結合模擬回路５０は、移動体端末１の４つのアンテナ接続端子１ａ〜１ｄにそれぞれケーブル接続可能な第１〜第４の端末側ポート５１ａ〜５１ｄと、これら端末側ポートにそれぞれ対応し、試験装置１０″の４つの信号端子１０ａ〜１０ｄにそれぞれケーブル接続可能な第１〜第４の試験側ポート５２ａ〜５２ｄと、各端末側ポート５１ａ〜５１ｄとそれに対応する各試験側ポート５２ａ〜５２ｄの間にそれぞれ２つずつ縦列的に挿入された合計８つの３ポート型カプラ６１〜６８と、これら３ポート型カプラのうち端末側ポートに接続されている４つの３ポート型カプラのポート間に接続された４ポート型カプラ７０とを有している。
【００６０】
３ポート型カプラ６１〜６８は、第１ポートに入力された信号を等分配して第２ポート、第３ポートから出力し、それら第２ポート、第３ポートに入力された信号を合成して第１ポートから出力する分配合成機能を有する。その一例としてウィルキンソン型カプラ等を用いることができる。
【００６１】
また、４ポート型カプラ７０は、第１ポート、第２ポートに入力された信号をそれぞれ等分配し互いに合成して第３ポート、第４ポートから出力し、第３ポート、第４ポートに入力された信号をそれぞれ等分配し互いに合成して第１ポート、第２ポートから出力する分配合成機能を有する。その一例として４ポート型の方向性結合器（ハイブリッド結合器）等を用いることができる。
【００６２】
そして、これらの３ポート型カプラ６１〜６８および４ポート型カプラ７０は、以下のように接続されている。
【００６３】
即ち、第１の端末側ポート５１ａと第１の３ポート型カプラ６１の第１ポートの間、その第１の３ポート型カプラ６１の第２ポートと第２の３ポート型カプラ６２の第１ポートの間、その第２の３ポート型カプラ６２の第２ポートと第１の試験側ポート５２ａの間がそれぞれケーブル等の接続部材を介して接続されている。
【００６４】
同様に、第２の端末側ポート５１ｂと第３の３ポート型カプラ６３の第１ポートの間、その第３の３ポート型カプラ６３の第２ポートと第４の３ポート型カプラ６４の第１ポートの間、その第４の３ポート型カプラ６４の第２ポートと第２の試験側ポート５２ｂの間がそれぞれ接続され、第３の端末側ポート５１ｃと第５の３ポート型カプラ６５の第１ポートの間、その第５の３ポート型カプラ６５の第２ポートと第６の３ポート型カプラ６６の第１ポートの間、その第６の３ポート型カプラ６６の第２ポートと第３の試験側ポート５２ｃの間がそれぞれ接続され、第４の端末側ポート５１ｄと第７の３ポート型カプラ６７の第１ポートの間、その第７の３ポート型カプラ６７の第２ポートと第８の３ポート型カプラ６８の第１ポートの間、その第８の３ポート型カプラ６８の第２ポートと第４の試験側ポート５２ｄの間がそれぞれ接続されている。
【００６５】
また、第２の３ポート型カプラ６２の第３ポートと第４の３ポート型カプラ６４の第３ポートの間、第６の３ポート型カプラ６６の第３ポートと第８の３ポート型カプラ６８の第３ポートの間が接続され、さらに、第１の３ポート型カプラ６１の第３ポートと４ポート型カプラ７０の第１ポートの間、第３の３ポート型カプラ６３の第３ポートと４ポート型カプラ７０の第２ポートの間、第５の３ポート型カプラ６５の第３ポートと４ポート型カプラ７０の第３ポートの間、第７の３ポート型カプラ６７の第３ポートと４ポート型カプラ７０の第４ポートの間がそれぞれ接続されている。
【００６６】
なお、ここでは、第１〜第４の端末側ポート５１ａ〜５１ｄと、３ポート型カプラ６１、６３、６５、６６の各第１ポートとを区別しているが、第１〜第４の端末側ポート５１ａ〜５１ｄが３ポート型カプラ６１、６３、６５、６６の各第１ポートと共通でよく、また、同様に第１〜第４の試験側ポート５２ａ〜５２ｄが３ポート型カプラ６２、６４、６６、６８の各第２ポートと共通でよい。
【００６７】
このように構成されたアンテナ結合模擬回路５０では、移動体端末１の特定のアンテナ接続端子から出力されたアップリンク信号は４分配されて、その一つが対応する信号端子に出力され、残り３つが他のアンテナ接続端子に帰還される。
【００６８】
例えば、図１に示しているように、第１の端末側ポート５１ａに入力されたアップリンク信号ＵＬ１が、第１の３ポート型カプラ６１により２つの信号ＵＬｌａ、ＵＬ１ｂに等分配され、その一方ＵＬ１ａが、第２の３ポート型カプラ６２に入力されてさらに２つの信号ＵＬｌｃ、ＵＬ１ｄに等分配され、その一方ＵＬｌｃが第１の試験側ポート５２ａに出力され、他方ＵＬ１ｄが第４の３ポート型カプラ６４、第３の３ポート型カプラ６３を経由して、第２の端末側ポート５１ｂに出力される。
【００６９】
また、第１の３ポート型カプラ６１により等分配された他方の信号ＵＬ１ｂは、４ポート型カプラ７０により２つの信号ＵＬｌｅ、ＵＬ１ｆに等分配されて、それぞれ第５の３ポート型カプラ６５、第７の３ポート型カプラ６７を経由して第３の端末側ポート５１ｃ、第４の端末側ポート５１ｄに出力される。移動体端末１の他のアンテナ接続端子から他の端末側ポートに入力されるアップリンク信号についても同様に、その他のアンテナ接続端子に帰還される。
【００７０】
したがって、移動体端末１のアンテナ接続端子１ａには、試験用下り信号ＤＬＡと、アンテナ接続端子１ｂ、１ｃ、１ｄから出力されたアップリンク信号ＵＬ２、ＵＬ３、ＵＬ４の合成分ＵＬＡが出力され、同様に、アンテナ接続端子１ｂには、試験用下り信号ＤＬＢと、アンテナ接続端子１ａ、１ｃ、１ｄから出力されたアップリンク信号ＵＬ１、ＵＬ３、ＵＬ４の合成分ＵＬＢが出力され、アンテナ接続端子１ｃには、試験用下り信号ＤＬＣと、アンテナ接続端子１ａ、１ｂ、１ｄから出力されたアップリンク信号ＵＬ１、ＵＬ２、ＵＬ４の合成分ＵＬＣが出力され、アンテナ接続端子１ｄには、試験用下り信号ＤＬＤと、アンテナ接続端子１ａ、１ｂ、１ｃから出力されたアップリンク信号ＵＬ１、ＵＬ２、ＵＬ３の合成分ＵＬＤが出力されることになる。これによって移動体端末１のアンテナ接続環境におけるアンテナ間結合が模擬された状態で、移動体端末１に対する試験を行なうことができる。
【００７１】
つまり、このアンテナ結合模擬回路５０は、汎用的な４×４ポート型であるにも関わらず、８つの３ポート型カプラ６１〜６８と１つの４ポート型カプラ７０の合計９つのカプラで構成でき、そのカプラ間を接続するためのケーブルやコネクタなどからなる接続部材も１０組で済む。
【００７２】
このため、従来回路と比べて、カプラ数で３／４、カプラ間接続部材数で５／７だけ構成が簡易化され、小型に形成できる。
【００７３】
また、このアンテナ結合模擬回路５０では、いずれのアンテナ接続端子から出力されたアップリンク信号についても２つのカプラを経由することにより４分配されて、その３つが他のアンテナ接端子に帰還される。つまりカプラによる分配で電力が６ｄＢ下がり、それにケーブル等の接続ロスが加わることになる。
【００７４】
実際の移動体端末１のアンテナ間の結合度は−１０ｄＢ程度であることが知られており、帰還されるアップリンク信号の元の電力に対する減衰量が１０ｄＢを大きく越えると実環境に対応した試験が行なえないが、本発明のアンテナ結合模擬回路５０では、接続ロスを４ｄＢ程度まで許容でき、実環境に対応した試験が行なえる。
【００７５】
前記実施形態では、４ポート型カプラ７０が単独構造の例を示したが、図２に示すアンテナ結合模擬回路５０のように、４ポート型カプラ７０を、前記した第１〜第８の３ポート型カプラ６１〜６８と同等の第９、第１０の３ポート型カプラ７１、７２の第１ポート同士を接続して形成することができる。この場合、第９の３ポート型カプラ７１の第２、第３ポートを、４ポート型カプラ７０の第１、第２ポートとして、第１の３ポート型カプラ６の第３ポート、第３の３ポート型カプラ６３の第３ポートにそれぞれ接続し、第１０の３ポート型カプラ７２の第２、第３ポートを、４ポート型カプラ７０の第３、第４ポートとして、第５の３ポート型カプラ６５の第３ポート、第７の３ポート型カプラ６７の第３ポートにそれぞれ接続すればよい。
【００７６】
この構成でも、従来回路に比べて、カプラ数で１０／１２、カプラ間接続部材数で１１／１４だけ構成が簡易化され、小型に形成できる。また使用するカプラを全て３ポート型で共通化できる利点がある。
【００７７】
また、アップリンク信号の帰還量（アンテナ間結合度）を可変できるようにすれば、アンテナ結合度の変化に対する移動体端末１の動作を把握できて便利である。
【００７８】
この場合には、例えば図３〜図５のように、試験用下り信号は減衰させず、帰還するアップリンク信号のみに任意の減衰を与えられる経路に可変減衰器８１〜８４を挿入し、擬似的なアンテナ間結合度が−１０ｄＢより低い値から−１０ｄＢを超える値となるように減衰量を可変しながら、移動体端末の動作確認を行なえばよい。
【００７９】
図３の回路例は、第２の３ポート型カプラ６２の第３ポートと第４の３ポート型カプラ６４の第３ポートの間、第６の３ポート型カプラ６６の第３ポートと第８の３ポート型カプラ６８の第３ポートの間、第１の３ポート型カプラ６１の第３ポートと４ポート型カプラ７０の第１ポートの間および第３の３ポート型カプラ６３の第３ポートと４ポート型カプラ７０の第２ポートの間に、それぞれ可変減衰器８１〜８４を挿入している。
【００８０】
図４の回路例では、可変減衰器８１、８２の挿入位置は図３の例と同じであるが、可変減衰器８３、８４を、第５の３ポート型カプラ６５の第３ポートと４ポート型カプラ７０の第３ポートの間および第７の３ポート型カプラ６７の第３ポートと４ポート型カプラ７０の第４ポートの間に挿入している。
【００８１】
また、図５の回路例では、可変減衰器８１、８２の挿入位置は図３、図４の例と同じであるが、可変減衰器８３を、４ポート型カプラ７０を構成する第９、第１０の３ポート型カプラ７１、７２の第１ポートの間に挿入している。この場合、可変減衰器の数が３つで済む。
【００８２】
上記実施形態では、接続対象の移動体端末１のアンテナ接続端子が４つの場合について説明したが、接続対象のアンテナ接続端子が３つ以下の場合でも対応可能である。
【００８３】
例えば、図６のように、接続対象が、移動体端末１の２つのアンテナ接続端子１ａ、１ｂと試験装置１０″の２つの信号端子１０ａ、１０ｂの場合、第１〜第４の端末側ポート５１ａ〜５１ｄのいずれか一つの端末側ポート５１ｘ（ここでは５１ｘ＝５１ａ）をアンテナ接続端子１ａに接続し、第１〜第４の試験側ポート５２ａ〜５２ｄのうち、端末側ポート５１ｘと組みをなす試験側ポート５２ｘ（ここでは５２ｘ＝５２ａ）を、アンテナ接続端子１ａに与える試験用下り信号ＤＬＡを出力する信号端子１０ａに接続する。同様に、第１〜第４の端末側ポート５１ａ〜５１ｄのうち端末側ポート５１ｘ（ここでは５１ｘ＝５１ａ）以外の端末側ポート５１ｙ（ここでは５１ｙ＝５１ｂ）をアンテナ接続端子１ｂに接続し、第１〜第４の試験側ポート５２ａ〜５２ｄのうち、端末側ポート５１ｙと組みをなす試験側ポート５２ｙ（ここでは５２ｙ＝５２ｂ）を、アンテナ接続端子１ｂに与える試験用下り信号ＤＬＢを出力する信号端子１０ｂに接続する。
【００８４】
また、例えば、図７のように、接続対象が、移動体端末１の３つのアンテナ接続端子１ａ〜１ｃと試験装置１０″の３つの信号端子１０ａ〜１０ｃの場合、図６の接続形態に加えて、前記第１〜第４の端末側ポート５１ａ〜５１ｄのうち、端末側ポート５１ｘ、５１ｙ以外の端末側ポート５１ｚ（ここでは５１ｚ＝５１ｃ）をアンテナ接続端子１ｃに接続し、第１〜第４の試験側ポート５２ａ〜５２ｄのうち、端末側ポート５１ｚと組みをなす試験側ポート５２ｚ（ここでは５２ｚ＝５２ｃ）を、アンテナ接続端子１ｃに与える試験用下り信号ＤＬＣを出力する信号端子１０ｃに接続すればよい。なお、上記接続例において、アンテナ接続端子や信号端子に接続されない端末側ポートおよび試験側ポートは、分配されたアップリンク信号の反射等が起きないように整合終端しておく。
【００８５】
上記したいずれの接続例においても、特定のアンテナ接続端子から出力されたアップリンク信号は、二つのカプラによる等分配処理で１／４の電力に分けられて特定のアンテナ接続端子以外のアンテナ接続端子へ帰還されることになり、前記したようにケーブル等の接続ロスや可変減衰器８１〜８４の挿入により、移動体端末１のアンテナ実装状態でのアンテナ間結合度（−１０ｄＢ）を大きく越えない範囲で試験することができる。
【００８６】
前記実施形態では、４つの試験側ポート５２ａ〜５２ｄに入力される試験用下り信号を、端末側ポート５１ａ〜６１ｄにそれぞれ接続された３ポート型カプラ６１、６３、６５、６７の第２ポートに与えるとともに、３ポート型カプラ６１、６３間および３ポート型カプラ６５、６７間でアップリンク信号を帰還させる機能を、４つの３ポート型カプラ６２、６４、６６、６８によって実現していたが、図８に示すアンテナ結合模擬回路５０′のように、これら４つの３ポート型カプラ６２、６４、６６、６８の代わりに、２つの４ポート型カプラ７５、７６を用いて同等の機能を実現させることも可能である。
【００８７】
４ポート型カプラ７５、７６は、前記４ポートカプラ７０と同様に、第１ポートおよび第２ポートに入力された信号をそれぞれ２等分して互いに合成して第３ポートおよび第４ポートに出力し、第３ポートおよび第４ポートに入力された信号をそれぞれ２等分して互いに合成して第１ポートおよび第２ポートに出力する機能を有しており、このアンテナ結合模擬回路５０′では、３ポート型カプラ６１の第２ポートと４ポート型カプラ７５の第２ポートの間、３ポート型カプラ６３の第２ポートと４ポート型カプラ７５の第３ポートの間、４ポート型カプラ７５の第４ポートと試験側ポート５２ａとの間および４ポート型カプラ７５の第１ポートと試験側ポート５２ｂとの間がそれぞれ接続されている。
【００８８】
また同様に、３ポート型カプラ６５の第２ポートと４ポート型カプラ７６の第２ポートの間、３ポート型カプラ６７の第２ポートと４ポート型カプラ７６の第３ポートの間、４ポート型カプラ７６の第４ポートと試験側ポート５２ｃとの間および４ポート型カプラ７６の第１ポートと試験側ポート５２ｄとの間がそれぞれ接続されている。
【００８９】
したがって、この構成の場合、例えば端末側ポート５１ａに入力されたアップリンク信号ＵＬ１は、３ポート型カプラ６１で２等分され、その一方ＵＬ１ａが４ポート型カプラ７５の第２ポートに入力されてさらに２等分され、第３ポート、第４ポートに出力され、その一方ＵＬ１ｃが試験側ポート５２ａに出力され、他方ＵＬ１ｄが３ポート型カプラ６３を介して端末側ポート５１ｂに帰還されることになる。他の端末側ポート５１ｂ〜５１ｄに入力されたアップリンク信号ＵＬ２〜ＵＬ３についても同等の処理がなされ、前記実施形態と同様に、一つの端末側ポートに入力されるアップリング信号について、２つのカプラでの等分配による６ｄＢ分の減衰を与えて、別の３つの端末側ポートに帰還できる。
【００９０】
また、例えば、試験側ポート５２ａに入力される試験用下り信号ＤＬＡは、４ポート型カプラ７５の第４ポートに入力されて２等分され、その一方が第２ポートに出力され、３ポート型カプラ６１を介して試験側ポート５２ａに対応する端末側ポート５１ａに与えられる。他の試験側ポート５２ｂ〜５２ｄに入力される試験用下り信号ＤＬＢについても同様の処理がなされる。
【００９１】
なお、試験側ポート５２ａに入力される試験用下り信号ＤＬＡの残り半分は４ポート型カプラ７５から試験側ポート５２ｂに出力され、試験側ポート５２ｂに入力される試験用下り信号ＤＬＢの残り半分は４ポート型カプラ７５から試験側ポート５２ａに出力され、試験側ポート５２ｃに入力される試験用下り信号ＤＬＣの残り半分は４ポート型カプラ７６から試験側ポート５２ｄに出力され、試験側ポート５２ｄに入力される試験用下り信号ＤＬＤの残り半分は４ポート型カプラ７６から試験側ポート５２ｃに出力されるが、試験装置側では、自身が送出した試験用下り信号と移動体端末１から送出されたアップリンク信号とを分離する機能を有しているので試験を問題なく行なう事ができる。
【００９２】
この実施形態のアンテナ結合模擬回路５０′は、汎用的な４×４ポート型であるにも関わらず、４つの３ポート型カプラ６１、６３、６５、６７と３つの４ポート型カプラ７０、７５、７６の合計７つのカプラで構成でき、そのカプラ間を接続するためのケーブルやコネクタなどの接続部材の数も８組で済み、従来回路と比べて、カプラ数で７／１２、カプラ間接続部材数で４／７だけ小型化できる。
【００９３】
なお、この実施形態のアンテナ結合模擬回路５０′においても、前記実施形態で図２に示したように、４ポート型カプラ７０を２つの３ポート型カプラ７１、７２で構成することができる。
【００９４】
また、前記実施形態で図３〜図５に示したように、上り信号（アップリング信号）の帰還ラインに可変減衰器を挿入することも可能である。ただし、図８に示した実施形態において点線で示しているように、図３〜図５と同様に４ポート型カプラ７０の入出力ラインに可変減衰器８３、８４を挿入することについては問題ないが、４ポート型カプラ７５、７６と３ポート型カプラの６１、６３、６５、６７との接続ラインに可変減衰器８１、８２を挿入した場合、上り信号だけでなく試験用下り信号についても可変減衰器による減衰が生じるので、その減衰分を見込んで試験用下り信号の入力強度を設定する必要がある。
【００９５】
なお、上記各実施形態において、３ポート型カプラ６１〜６８、７１、７２の第２ポートと第３ポートは機能的に同等であって区別する必要はなく、また、４ポート型カプラ７０、７５、７６の第１ポートと第２ポートも機能的に同等であって区別する必要はなく、同様に、第３ポートと第４ポートも機能的に同等であって区別する必要はない。
【符号の説明】
【００９６】
１……移動体端末、１ａ〜１ｄ……アンテナ接続端子、１０″……移動体端末試験装置、１０ａ〜１０ｄ……信号端子、５０、５０′……移動体端末アンテナ結合模擬回路、５１ａ〜５１ｄ……端末側ポート、５２ａ〜５２ｄ……試験側ポート、６１〜６８、７１、７２……３ポート型カプラ、７０、７５、７６……４ポート型カプラ、８１〜８４……可変減衰器
【図１】
0006276805.tif 000002
【図２】
0006276805.tif 000003
【図３】
0006276805.tif 000004
【図４】
0006276805.tif 000005
【図５】
0006276805.tif 000006
【図６】
0006276805.tif 000007
【図７】
0006276805.tif 000008
【図８】
0006276805.tif 000009
【図９】
0006276805.tif 000010
【図１０】
0006276805.tif 000011
【図１１】
0006276805.tif 000012
【図１２】
0006276805.tif 000013
【図１３】
0006276805.tif 000014